(57)【要約】【課題】観察光学系による観察像の視認性を損なわずに露光タイミングを知らせるカメラを提供する。【解決手段】カメラ１は、撮影光学系ＬＳを通過した光を撮像手段２０へ導く光、および観察光学系へ導く光に分光する分光部材４と、観察光学系で観察される視野に情報を表示する表示手段１３と、撮像手段２０による撮像タイミングを知らせる表示を行うように表示手段１３を制御する制御手段１４とを備える。【選択図】図１
2010102172.tif 000002
【特許請求の範囲】
【請求項１】
撮影光学系を通過した光を撮像手段へ導く光、および観察光学系へ導く光に分光する分光部材と、
前記観察光学系で観察される視野に情報を表示する表示手段と、
前記撮像手段による撮像タイミングを知らせる表示を行うように前記表示手段を制御する制御手段とを備えることを特徴とするカメラ。
【請求項２】
請求項１に記載のカメラにおいて、
前記制御手段は、前記撮像の開始時に前記表示を開始させ、該撮像の終了時に前記表示を終了させることを特徴とするカメラ。
【請求項３】
請求項２に記載のカメラにおいて、
前記制御手段は、シャッター秒時が第１所定時間以下の場合に前記撮像の開始時に前記表示を開始させ、該撮像の終了時より遅い時点まで前記表示の時間を延長することを特徴とするカメラ。
【請求項４】
請求項２に記載のカメラにおいて、
前記制御手段は、シャッター秒時が第２所定時間以上の場合に前記撮像の開始時に前記表示を開始させ、該撮像の終了時より早い時点へ前記表示の時間を短縮することを特徴とするカメラ。
【請求項５】
請求項２に記載のカメラにおいて、
前記制御手段は、連写の場合に各コマの撮像の開始時に前記表示を開始させ、該各コマの撮像の終了時より早い時点で前記表示を終了する表示制御を前記撮像ごとに繰り返すことを特徴とするカメラ。
【請求項６】
請求項１に記載のカメラにおいて、
前記表示手段は、前記撮影光学系の焦点調節情報を取得する焦点調節情報取得手段が前記焦点調節情報の取得に用いた領域を示す第１色の表示を前記観察光学系による観察像に重ねて行う表示をさらに行い、
前記制御手段は、前記撮像の開始時に前記領域を示す表示を前記第１色と異なる第２色で開始させ、該撮像の終了時に前記第２色の表示を終了させることを特徴とするカメラ。
【請求項７】
請求項１に記載のカメラにおいて、
前記表示手段は、前記撮影光学系の焦点調節情報を取得する焦点調節情報取得手段が前記焦点調節情報の取得に用いた領域を示す表示を前記観察光学系による観察像に重ねて行う表示をさらに行い、
前記制御手段は、前記撮像の開始時に前記観察像を囲む枠の表示を開始させ、該撮像の終了時に前記枠の表示を終了させることを特徴とするカメラ。
【請求項８】
請求項１に記載のカメラにおいて、
前記表示手段は、前記観察光学系による観察像の近傍に撮影情報を示す表示をさらに行い、
前記制御手段は、前記撮影情報を示す表示と別に、撮像の開始時に所定マークの表示を開始させ、該撮像の終了時に前記マークの表示を終了させることを特徴とするカメラ。
【発明の詳細な説明】
【技術分野】
【０００１】
本発明は、カメラに関する。
【背景技術】
【０００２】
シャッターが開閉動作されたタイミングを撮影者に伝えるカメラが知られている（特許文献１参照）。従来技術では、カメラのファインダー光学系に透過型液晶を設け、この透過型液晶によってファインダー光学系を介して観察されている視野を制限することにより、シャッターの開閉タイミングが報知される。
【０００３】
【特許文献１】特開平１１−２９５８００号公報
【発明の開示】
【発明が解決しようとする課題】
【０００４】
従来技術では、ファインダーを覗く撮影者に露光タイミングが報知されるものの、観察像が制限されて確認しづらくなるという問題があった。
【課題を解決するための手段】
【０００５】
本発明によるカメラは、撮影光学系を通過した光を撮像手段へ導く光、および観察光学系へ導く光に分光する分光部材と、観察光学系で観察される視野に情報を表示する表示手段と、撮像手段による撮像タイミングを知らせる表示を行うように表示手段を制御する制御手段とを備えることを特徴とする。
【発明の効果】
【０００６】
本発明によるカメラでは、観察光学系による観察像の視認性を損なわずに露光タイミングを知らせることができる。
【発明を実施するための最良の形態】
【０００７】
以下、図面を参照して本発明を実施するための最良の形態について説明する。図１は、本発明の一実施の形態による一眼レフ電子カメラシステムの構成を説明する図である。図１において、カメラ本体１のレンズマウント（不図示）に対し、着脱可能に構成される撮影レンズの鏡筒２が装着されている。
【０００８】
被写体からの光Ｌは、鏡筒２のレンズ光学系ＬＳおよび絞り３を介してカメラ本体１へ入射される。カメラ本体１に入射した被写体光は、ハーフミラー（以下メインミラーと呼ぶ）４によって上方および右方へ分光される。メインミラー４で上方へ反射された被写体光の一部は、ファインダー部へ導かれてフォーカシングスクリーン５に結像する。メインミラー４を右方へ透過した被写体光は、レリーズ操作前はサブミラー１５によって下方へ反射され、焦点検出用センサ１６へ導かれる。サブミラー１５は、矢印の向きに回動自在に構成され、レリーズ操作前は図１の位置に、レリーズ操作後は被写体光の光路外へ退避するように、不図示のミラー駆動機構によって駆動される。焦点検出用センサ１６は、後述する位相差検出方式の焦点検出時に用いられる。
【０００９】
レンズ駆動装置１７は、モータ、連結ギヤおよびカップリングなどで構成され、レンズ光学系ＬＳに含まれるフォーカスレンズを合焦位置へ移動させるための駆動力を発生し、鏡筒２側へ伝達する。合焦位置へフォーカスレンズを移動させる場合の移動方向および移動量は、後述する焦点検出結果に基づいて決定される。
【００１０】
フォーカシングスクリーン５に結像した被写体光はさらに、ＰＮ液晶６を介してペンタプリズム７へ入射される。ＰＮ液晶６はポリマーネットワーク液晶によって構成され、通電されると光を透過し、非通電にされると光を拡散する。カメラ本体１は、後述する焦点検出を行う領域（フォーカスポイントと呼ぶ）を示す表示をＰＮ液晶６によって行う。ＰＮ液晶６による表示内容は、ファインダー部による光学的な観察像に重ねて、接眼レンズ群８を通して観察される。ＰＮ液晶６の側面には照明装置３０が配置されており、拡散状態にある領域（たとえばフォーカスポイント）を側面から赤色光で照明する。これにより、背景の被写体が暗い場合であっても、拡散状態にある領域（たとえばフォーカスポイント）の視認性を向上させることができる。なお、照明装置３０による照明光は赤色以外でもよく、また、複数の照明色を適宜切替え可能としてもよい。この場合の照明装置３０には、異なる照明色の光源を複数具備させ、適宜切替えて照明させる。
【００１１】
ペンタプリズム７は入射された被写体光を接眼レンズ群８へ導く一方、その一部をプリズム９へも導く。プリズム９へ入射された光は、結像レンズ１０を介してサブイメージセンサ１１へ入射される。サブイメージセンサ１１は、被写体像の明るさに応じた光電変換信号を出力する。
【００１２】
レリーズ操作後はサブミラー１５が下方へ回動し（ミラーダウン）、被写体光Ｌはシャッター１８を介して撮像素子２０へ導かれ、その撮像面上に被写体像を結像する。撮像素子２０は、画素に対応する複数の光電変換素子を備えたＣＣＤイメージセンサなどによって構成される。撮像素子２０は、撮像面上に結像されている被写体像を撮像し、被写体像の明るさに応じた光電変換信号を出力する。
【００１３】
ファインダー内液晶１３は、撮影に関する露出制御値などの情報を表示する。プリズム１２がファインダー内液晶１３の前（図１において左方）に配設されることにより、ファインダー内液晶１３による表示内容が、接眼レンズ群８を通してファインダー部による光学像と別に観察される。ファインダー内バックライト１４は、ファインダー内液晶１３を照明する。
【００１４】
デジタル基板２２には、後述するＭＰＵ、タイミング回路、Ａ／Ｄ変換回路およびＡＳＩＣなどの回路が実装される。液晶表示部２３はカメラ本体１の背面（図１において右側）に配設される。液晶表示部２３は、撮影画像やメニュー画面などを表示する。
＜位相差検出ＡＦ＞
位相差検出方式の焦点検出について説明する。後述するＭＰＵは、サブミラー１５がアップ時（図１に示す位置）に位相差検出方式によるＡＦ（オートフォーカス）演算を行う。具体的には、レンズ光学系ＬＳの異なる領域を介して入射された一対のデフォーカス量検出用光束による像であって、焦点検出用センサ１６上の異なる位置でそれぞれ撮像される２つの像の相対位置ずれ量（相対間隔）を求める。
【００１５】
これら一対の被写体像は、レンズ光学系ＬＳが予定焦点面よりも前に被写体の鮮鋭像を結ぶいわゆる前ピン状態では互いに近づき、逆に予定焦点面より後ろに被写体の鮮鋭像を結ぶいわゆる後ピン状態では互いに遠ざかる。予定焦点面において被写体の鮮鋭像を結ぶ合焦状態には、焦点検出用センサ１６上の一対の被写体像が相対的に一致する。したがって、一対の被写体像の相対位置ずれ量を求めることにより、レンズ光学系ＬＳのフォーカス調節状態、すなわちデフォーカス量が得られる。レンズ光学系ＬＳのフォーカスレンズをデフォーカス量に応じて光軸方向（図１において左右方向）に移動させることにより、レンズ光学系ＬＳのフォーカス調節が行われる。
＜観察像＞
図２は、接眼レンズ群８から観察される観察像を例示する図である。図２において、光学像２０３に重ねて、マーク群２０２がＰＮ液晶６によってスーパーインポーズ表示される。マーク群２０２は、所定数（本例の場合は１１個）のマークによって構成される。個々のマーク位置は、上述したフォーカスポイントに対応する。すなわち、カメラ本体１は１１個のフォーカスポイントごとに焦点検出が可能に構成されている。なお、図２は説明のために被写体像の図示を省略し、かつＰＮ液晶６によってマーク群２０２を全点灯させたものである。
【００１６】
光学像２０３の下部には、露出制御値などの表示２０１がファインダー内液晶１３によって行われる。ファインダー内液晶１３は、後述露光アイコン点灯用の表示素子２０４を含む。
【００１７】
図３は、カメラ本体１の回路構成を説明するブロックである。図３において、ＭＰＵ１０１は、カメラ本体１の各ブロックに対する制御を行う。タイミング回路１０４は、所定のタイミング信号を発生する。撮像素子１０２は図１の符号２０に対応する。撮像素子１０２は、タイミング回路１０４から供給されるタイミング信号によって駆動され、光電変換信号を出力する。
【００１８】
Ａ／Ｄ変換回路１０３は、タイミング回路１０４から供給されるタイミング信号によって駆動され、撮像素子１０２から出力された光電変換信号をデジタル画像データに変換する。画像処理制御回路１０５は、デジタル変換された画像データに対して所定の画像処理（ホワイトバランス調整、シャープネス調整、ガンマ補正、階調調整、色補間など）を行う。
【００１９】
ＳＤＲＡＭ１０６は、画像データを一時的に格納するメモリである。画像用記録媒体１０７は、不図示のメモリインタフェースを介して画像処理制御回路１０５（カメラ本体１）に対して着脱自在に構成される。画像処理制御回路１０５は、メモリインタフェースを介して撮像データおよび画像データをまとめたExif形式の画像ファイルを画像用記録媒体１０７に記録する。
【００２０】
背面液晶制御回路１０８は、液晶表示部２３（図１）の表示制御を行う。ファインダー内表示制御回路１０９は、ファインダー内液晶１３（図１）の表示制御およびファインダー内バックライト１４（図１）の点灯制御を行う。
【００２１】
スーパーインポーズ表示制御回路１１０は、ＰＮ液晶６（図１）の表示制御を行う。サブイメージセンサ回路１１１は、たとえばＡＳＩＣによって構成される。サブイメージセンサ回路１１１は、サブイメージセンサ１１から出力された光電変換信号をデジタル画像データに変換し、変換後の画像データに基づいて測光情報を算出する。
【００２２】
露出制御回路１１２は、上記測光情報に基づいて求めた被写体の輝度情報を用いてシャッター秒時および絞り値を演算する。演算結果は、シャッター制御部１１３および絞り制御部１１４へ送られる。シャッター制御部１１３は、シャッター１８（図１）を開閉制御する。絞り制御部１１４は、絞り３（図１）の駆動制御を行う。
【００２３】
レンズ情報入力回路１１５は、開放絞り値  焦点距離、射出瞳などを示す情報を鏡筒２（図１）から取得する。焦点検出回路１１６は、焦点検出用センサ１６による検出信号をデジタルデータに変換してＭＰＵ１０１へ送出する。レンズ駆動回路１１７は、ＭＰＵ１０１から送出されるフォーカスレンズ駆動指示に基づいてレンズ駆動装置１７を制御する。
【００２４】
設定操作部材１１９は、設定操作に応じた操作信号を発してＭＰＵ１０１へ送出する。モード設定回路１１８は、ＭＰＵ１０１からの指示に応じて露出モード、フォーカスエリアモードなどの動作モードを切り替え設定したり、カメラ本体１に対する設定操作を受け付けるためのメニューモードを起動したりする。
【００２５】
半押しスイッチＳＷ１および全押しスイッチＳＷ２は、レリーズボタン（不図示）の押下操作に連動して、それぞれがオン信号をＭＰＵ１０１へ出力する。半押しスイッチＳＷ１からの半押しオン信号は、レリーズボタンが通常ストロークの半分程度まで押し下げ操作されると出力され、半ストロークの押し下げ操作解除で出力が解除される。全押しスイッチＳＷ２からの全押しオン信号は、レリーズボタンが通常ストロークまで押し下げ操作されると出力され、通常ストロークの押し下げ操作が解除されると出力が解除される。
＜フォーカスエリアモード＞
カメラ本体１は、フォーカスエリアモードとしてシングルポイントＡＦモードと、ダイナミックＡＦモードとを有する。シングルポイントＡＦモードは、１１個のフォーカスポイントの中から指示された１つのフォーカスポイントのみを用いて焦点検出を行うモードである。フォーカスポイントの選択は、ユーザによる設定操作部材１１９の操作によって行われる。
【００２６】
ダイナミックＡＦモードは、１１個のフォーカスポイントを用いて焦点検出を行うモードである。焦点検出を行ったフォーカスポイントからピント合わせの対象となる主要被写体が外れた場合に、他のフォーカスポイントを用いて該主要被写体を対象に焦点検出を行うモードである。
【００２７】
上述したＰＮ液晶６は、シングルポイントＡＦモードにおいて、１１個のフォーカスポイントの中から指示された１つのフォーカスポイントのみを示すように点灯制御される。また、ＰＮ液晶６は、ダイナミックＡＦモードにおいて、１１点のフォーカスポイント群のうち焦点検出を行ったフォーカスポイントのみを示すように点灯制御される。
【００２８】
本実施形態は、ファインダー内液晶１３を用いて行う表示に特徴を有するので、以下、この表示制御を中心に説明する。
＜撮影処理＞  
ＭＰＵ１０１が行う撮影処理の流れについて、図４に例示するフローチャートを参照して説明する。図４による処理は、ＭＰＵ１０１に電源が供給されている場合に繰り返し行われる。図４のステップＳ１において、ＭＰＵ１０１は、半押しスイッチＳＷ１がオンされたか否かを判定する。ＭＰＵ１０１は、半押しスイッチＳＷ１からオン操作信号が入力された場合にステップＳ１を肯定判定してステップＳ２へ進む。ＭＰＵ１０１は、半押しスイッチＳＷ１からオン操作信号が入力されない場合には、ステップＳ１を否定判定して該判定処理を繰り返す。
【００２９】
ステップＳ２において、ＭＰＵ１０１はＡＦ処理を行ってステップＳ３へ進む。ＡＦ処理は、上述した位相差検出方式のフォーカス調節である。ＭＰＵ１０１は、設定されているフォーカスエリアモードにしたがって、上記マーク群２０２のうちいずれか１つのマークに対応する一対のデフォーカス量検出用光束を用いてフォーカス調節を行う。
【００３０】
ステップＳ３において、ＭＰＵ１０１は、スーパーインポーズ表示制御回路１１０へ指示を送り、ＰＮ液晶６（図１）の対応するマーク（ピント合わせに用いたフォーカスポイントを示すもの）を所定時間点灯させる。
【００３１】
ステップＳ４において、ＭＰＵ１０１は測光処理を行わせてステップＳ５へ進む。測光処理は、サブイメージセンサ回路１１１によって算出された被写体の輝度情報を用いて露出制御回路１１２がシャッター秒時および絞り値を演算するものである。
【００３２】
ステップＳ５において、ＭＰＵ１０１はファインダー内表示制御回路１０９へ指示を送り、測光処理演算の結果を表示２０１による表示内容に反映させてステップＳ６へ進む。ファインダー内表示制御回路１０９がファインダー内バックライト１４（図１）を所定時間点灯させることにより、ユーザが表示２０１の内容を所定時間観察できるようにする。
【００３３】
ステップＳ６において、ＭＰＵ１０１は、全押しスイッチＳＷ２がオンされたか否かを判定する。ＭＰＵ１０１は、全押しスイッチＳＷ２からオン操作信号が入力された場合にステップＳ６を肯定判定してステップＳ７へ進む。ＭＰＵ１０１は、全押しスイッチＳＷ２からオン操作信号が入力されない場合には、ステップＳ６を否定判定してステップＳ１５へ進む。
【００３４】
ステップＳ１５において、ＭＰＵ１０１は、半押しスイッチＳＷ１がオンされているか否かを判定する。ＭＰＵ１０１は、半押しスイッチＳＷ１から継続してオン操作信号が入力されている場合にステップＳ１５を肯定判定してステップＳ１６へ進む。ＭＰＵ１０１は、半押しスイッチＳＷ１からオン操作信号が入力されていない場合には、ステップＳ１５を否定判定して図４による処理を終了する。
【００３５】
ステップＳ１６において、ＭＰＵ１０１はＡＦモード設定内容を判定する。ＭＰＵ１０１は、ＡＦモードとしてＡＦ−Ｃモードが設定されている場合にステップＳ１６を肯定判定してステップＳ２へ戻る。ＡＦ−Ｃモードは、フォーカス調節処理を繰り返し行うモードである。一方ＭＰＵ１０１は、ＡＦモードとしてＡＦ−Ｓモードが設定されている場合にステップＳ１６を否定判定してステップＳ６へ戻る。ＡＦ−Ｓモードは、たとえばフォーカス調節処理を１回のみ行い、そのフォーカス調節状態を保持する（ＡＦロック）モードである。ＡＦモードの選択は、ユーザによる設定操作部材１１９の操作によって行われる。
【００３６】
上述したステップＳ６を肯定判定して進むステップＳ７において、ＭＰＵ１０１は、ミラー駆動部（不図示）へ指示を送り、サブミラー１５のダウン駆動を開始させるとともに、絞り制御部１１４へ指示を送り、絞り３（図１）の絞り込み駆動を開始させてステップＳ８へ進む。
【００３７】
ステップＳ８において、ＭＰＵ１０１はシャッター制御部１１３へ指示を送り、シャッター１８の駆動制御を開始させてステップＳ９へ進む。これにより、シャッター１８の先幕走行が始まる。ステップＳ９において、ＭＰＵ１０１はファインダー内表示制御回路１０９へ指示を送り、露光マーク２０４（図２）の点灯を開始させてステップＳ１０へ進む。
【００３８】
ステップＳ１０において、ＭＰＵ１０１は、撮像素子２０を初期化（電荷排出など）後、撮影用の露光、電荷蓄積を開始させてステップＳ１１へ進む。ステップＳ１１において、ＭＰＵ１０１は、蓄積時間がシャッター秒時に対応する時間になると電荷蓄積を終了させてステップＳ１２へ進む。
【００３９】
ステップＳ１２において、ＭＰＵ１０１はファインダー内表示制御回路１０９へ指示を送り、露光マーク２０４（図２）を消灯させてステップＳ１３へ進む。シャッター１８の後幕走行が終了したステップＳ１３において、ＭＰＵ１０１はミラー駆動部（不図示）へ指示を送り、サブミラー１５のアップ駆動を開始させるとともに、撮像素子２０から蓄積電荷の掃き出し（画像信号読み出し）をさせてステップＳ１４へ進む。
【００４０】
ステップＳ１４において、ＭＰＵ１０１はシャッター制御部１１３へ指示を送り、シャッターチャージさせて図４による処理を終了し、次の撮影シーケンスに備える。ステップＳ１３において読み出した画像信号は、画像処理制御回路１０５によって所定の画像処理を行い、画像ファイルとして画像用記録媒体１０７に記録される。
【００４１】
以上説明した実施形態によれば、次の作用効果が得られる。
（１）カメラ１は、レンズ光学系ＬＳを通過した光を撮像素子２０へ導く光、および観察光学系（ファインダー部）へ導く光に分光するメインミラー４と、観察光学系で観察される視野に情報を表示するファインダー内液晶１３と、撮像素子２０による撮像タイミングを知らせる表示を行うようにファインダー内液晶１３を制御するファインダー内表示制御回路１０９とを備えるようにした。これにより撮影者は、ファインダーを覗いたままで、観察中の観察像が損なわれることなしに撮像タイミングを知ることができる。たとえば、シャッター１８を開きっぱなしで行う場合の連写においては、シャッター１８の動作音がしなくても、露光タイミングを知ることができる。
（２）図６は、撮像（感光部材の露光）タイミングおよび撮像タイミング表示を例示するタイミングチャートである。ファインダー内表示制御回路１０９は、撮像の開始時（時刻ｔ０）に露光マーク２０４の表示を開始させ、該撮像の終了時（時刻ｔ１）に露光マーク２０４の表示を終了させるようにしたので、露光タイミング（撮像時間Ｓ）をわかりやすく知らせることができる。
（３）観察光学系による観察像の近傍に撮影情報を示す表示２０１を行うファインダー内液晶１３によって露光マーク２０４を表示するので、露光タイミング表示用に専用の表示器を設けなくてもよい。
（４）ファインダー内表示制御回路１０９は、撮影情報を示す表示と別の露光マーク２０４を用いて露光タイミングを示す表示を行うので、撮影情報を示す表示と見間違えるおそれを低減できる。
（変形例１）
ファインダー内液晶１３は、図５に例示するように、観察像の側部に表示させるものであっても構わない。
（変形例２）
図６は、撮影者が露光マーク２０４の点灯を認識するために必要な最小点灯時間Ａよりも撮像時間Ｓが長い場合に対応する。これと異なり、撮像時間Ｓが上記最小点灯時間Ａより短い場合には、露光マーク２０４の点灯時間を実際の撮像時間Ｓより長くしてもよい。図７は、この場合の露光タイミングおよび撮像タイミング表示を例示するタイミングチャートである。２幕式のフォーカルプレーンシャッターを用いて感光部材をスリット露光（先幕により開口を開始し、後幕により開口終了する）させる高速撮影（たとえば１／１０００秒より高速）の場合には、露光マーク２０４の消灯時刻のみを露光終了時点ｔ１より遅い時刻ｔ３とする。露光マーク２０４の点灯時間を最小点灯時間Ａまで長く延ばすことで、ファインダーを覗く撮影者は、確実に露光マーク２０４の点灯を視認できる。
（変形例３）
撮像時間Ｓが所定時間より長い低速撮影（たとえば１秒より低速）の場合には、露光マーク２０４の点灯時間を実際の露光時間より短くしてもよい。この場合には、消灯時刻のみを実際の露光終了時点ｔ１より早くする。一般に、ファインダーを覗く撮影者は露光開始のタイミングｔ０を知りたいので、露光マーク２０４の点灯時間を短くすることで、露光開始を知らせた後の不要な点灯を止めることができる。
（変形例４）
連写時には、撮影者が露光マーク２０４の消灯を認識するために必要な最小消灯時間Ｂよりもコマ間隔Ｔが長いか否かで露光マーク２０４の点灯時間を変化させるとよい。コマ間隔Ｔは、シャッター秒時および設定連写速度から算出する。図８は、コマ間隔Ｔが最小消灯時間Ｂより長い場合の露光タイミングおよび撮像タイミング表示を例示するタイミングチャートである。ファインダー内表示制御回路１０９は、撮像の開始時（時刻ｔ０）に露光マーク２０４の表示を開始させ、該撮像の終了時（時刻ｔ１）に露光マーク２０４の表示を終了させるので、露光タイミング（撮像時間Ｓ）をわかりやすく知らせることができる。
【００４２】
一方、図９は、コマ間隔Ｔが最小消灯時間Ｂより短い場合の露光タイミングおよび撮像タイミング表示を例示するタイミングチャートである。この場合には、実際の露光終了時点ｔ１より早い時刻ｔ２において露光マーク２０４を消灯させる。露光マーク２０４の点灯時間を短くして最小消灯時間Ｂを確保することで、ファインダーを覗く撮影者は、消灯を視認後に露光マーク２０４の点灯開始を確実に視認できる。
（変形例５）
カメラ１は、レンズ光学系ＬＳを通過した光を撮像素子２０へ導く光、および観察光学系（ファインダー部）へ導く光に分光するメインミラー４と、観察光学系で観察される視野に情報を表示するＰＮ液晶６と、撮像素子２０による撮像タイミングを知らせる表示を行うようにＰＮ液晶６を制御するスーパーインポーズ表示制御回路１１０とを備えるようにしてもよい。この場合にも撮影者は、ファインダーを覗いたままで観察像が損なわれることなしに露光タイミングを知ることができる。
【００４３】
また、観察光学系による観察像に重ねてフォーカスポイントを示すマーク群２０２を表示するＰＮ液晶６によって露光タイミングを表示するので、露光タイミング表示用に専用の表示器を設けなくてもよい。
【００４４】
ＰＮ液晶６を用いて露光タイミングを知らせるには、たとえば、観察像を囲むように枠表示をさせる。図２および図５の例では、光学像２０３の枠に相当する表示素子をＰＮ液晶６に備える。そして、該表示素子を点灯（ステップＳ９）させたり、該表示素子を消灯（ステップＳ１２）させたりする「枠」の表示制御を行うことにより、ファインダーを覗く撮影者に露光タイミングを知らせる。スーパーインポーズ表示制御回路１１０が、フォーカスポイントを示す表示２０２と別の枠表示用素子を用いて露光タイミングを示す表示を行うので、フォーカスポイントを示す表示と見間違えるおそれを低減できる。
（変形例６）
フォーカスポイントを示すマークの色を変えて露光タイミングを知らせる表示を行うようにしてもよい。この場合には、照明装置３０を、赤色および緑色の光源を具備させる等により照明色を適宜変更可能とし、ピント合わせ時（ステップＳ３）にフォーカスポイントを示すマークを点灯させた時に当該マークを照明する照明色（たとえば赤色）と、露光タイミングを示す表示を行う場合（ステップＳ９）に点灯させたマークを照明する照明色（たとえば緑色）とを異ならせるようにスーパーインポーズ表示制御回路１１０がＰＮ液晶６および照明装置３０を表示制御する。スーパーインポーズ表示制御回路１１０が、フォーカスポイントを示す場合の表示２０２の照明色と別の照明色で該表示２０２を点灯、消灯させることによって露光タイミングを示す表示を行うので、フォーカスポイントが表示されているのか、あるいは露光タイミングが表示されているのかを見誤るおそれを低減できる。
【００４５】
なお、フォーカスポイントをＰＮ液晶６によって点灯表示することにより、ファインダー部による光学的な観察像に重ねて表示するとしたが、フォーカスポイント表示を、ハーフミラーやプリズム等により光学的な観察像の光軸に重ねてスーパーインポーズ表示を行ってもよい。たとえば、図１０に例示するように、フォーカスポイント表示部により表示されたフォーカスポイントを、プリズムにより光学的な観察像に重ねて表示する。この場合は、フォーカスポイントの表示色は、フォーカスポイント表示部の表示色（照明色）を変更することにより変更する。
（変形例７）
図４におけるステップＳ９およびＳ１０の処理順序は、適宜入れ替えを行って構わない。また、図４におけるステップＳ１１およびＳ１２の処理順序は、適宜入れ替えを行って構わない。
（変形例８）
以上の説明では、メインミラー４としてハーフミラーを用いたが、ペリクルを用いて構成しても構わない。
（変形例９）
電子カメラを例に説明したが、クイックリターンミラーを含まない光学式ファインダーを備えるカメラであれば、フィルムカメラの場合にも本発明を適用して構わない。
【００４６】
以上の説明はあくまで一例であり、上記の実施形態の構成に何ら限定されるものではない。
【図面の簡単な説明】
【００４７】
【図１】本発明の一実施の形態による一眼レフ電子カメラシステムの構成を説明する図である。
【図２】接眼レンズ群から観察される観察像を例示する図である。
【図３】カメラ本体の回路構成を説明するブロックである。
【図４】ＭＰＵが行う撮影処理の流れを例示するフローチャートである。
【図５】接眼レンズ群から観察される観察像を例示する図である。
【図６】露光および撮像タイミング表示を例示するタイミングチャートである。
【図７】露光および撮像タイミング表示を例示するタイミングチャートである。
【図８】露光および撮像タイミング表示を例示するタイミングチャートである。
【図９】露光および撮像タイミング表示を例示するタイミングチャートである。
【図１０】フォーカスポイント表示を観察像に重ねてスーパーインポーズ表示させる例を説明する図である。
【符号の説明】
【００４８】
１…カメラ本体
２…鏡筒
６…ＰＮ液晶
８…接眼レンズ群
１３…ファインダー内液晶
２０…撮像素子
１０１…ＭＰＵ
１０９…ファインダー内表示制御回路
１１０…スーパーインポーズ表示制御回路
ＬＳ…レンズ光学系
【図１】
2010102172.tif 000003
【図２】
2010102172.tif 000004
【図３】
2010102172.tif 000005
【図４】
2010102172.tif 000006
【図５】
2010102172.tif 000007
【図６】
2010102172.tif 000008
【図７】
2010102172.tif 000009
【図８】
2010102172.tif 000010
【図９】
2010102172.tif 000011
【図１０】
2010102172.tif 000012